(57)【要約】【課題】選別、篩分けされたセモリナを常時予め規定された粒度に粉砕するロール式粉砕機による粉砕物の製造方法を提供する。【解決手段】回転する一対のロールの間隙に原料粉粒体を通し、前記原料粉粒体を粉砕し粉砕物を得る粉砕工程と、前記粉砕物をサンプリングするサンプリング工程と、前記サンプリング工程においてサンプリングされたサンプルの粒度分布を測定する測定工程と、前記測定工程において測定されたサンプルの粒度分布に基づいて算出される前記サンプルの特性値が予め定められた範囲内になるように前記一対のロールの間隙を調整する調整工程、を有する。【選択図】図４
2019058866.tif 000002
【特許請求の範囲】
【請求項１】
回転する一対のロールの間隙に原料粉粒体を通し、前記原料粉粒体を粉砕し粉砕物を得る粉砕工程と、
前記粉砕物をサンプリングするサンプリング工程と、
前記サンプリング工程においてサンプリングされたサンプルの粒度分布を測定する測定工程と、
前記測定工程において測定された前記サンプルの粒度分布に基づいて算出される前記サンプルの特性値が予め定められた範囲内になるように前記一対のロールの間隙を調整する調整工程、
を有することを特徴とするロール式粉砕機による粉砕物の製造方法。
【請求項２】
前記サンプリング工程においては、前記一対のロールの粉砕領域の一方側の予め定められた範囲の前記粉砕物のサンプリングである第１サンプリング、及び前記一対のロールの粉砕領域の他方側の予め定められた範囲の前記粉砕物のサンプリングである第２サンプリングを行い、
前記測定工程においては、前記第１サンプリングでサンプリングされた第１サンプルの粒度分布である第１の粒度分布、及び前記第２サンプリングでサンプリングされた第２サンプルの粒度分布である第２の粒度分布の測定を行い、
前記調整工程においては、前記第１の粒度分布に基づいて算出される前記第１サンプルの特性値が予め定められた範囲内になるように前記一対のロールの一方側の間隙を調整し、前記第２の粒度分布に基づいて算出される前記第２サンプルの特性値が予め定められた範囲内になるように前記一対のロールの他方側の間隙を調整することを特徴とする請求項１記載のロール式粉砕機による粉砕物の製造方法。
【請求項３】
前記調整工程においては、
前記第１サンプルの特性値が特性値の目標値よりも大きいときは、前記一対のロールの一方側の間隙を特性値が小さくなるように調整し、前記第１サンプルの特性値が特性値の目標値よりも小さいときは、前記一対のロールの一方側の間隙を特性値が大きくなるように調整し、
前記第２サンプルの特性値が特性値の目標値よりも大きいときは、前記一対のローの他方側の間隙を特性値が小さくなるように調整し、前記第２サンプルの特性値が特性値の目標値よりも小さいときは、前記一対のロールの他方側の間隙を特性値が大きくなるように調整することを特徴とする請求項２記載のロール式粉砕機による粉砕物の製造方法。
【請求項４】
前記調整工程において、前記一対のロールの間隙の調整限界の下限または上限に調整した場合でも前記サンプルの特性値が前記予め定められた範囲内にならない場合に警報を発することを特徴とする請求項１記載のロール式粉砕機による粉砕物の製造方法。
【請求項５】
前記一対のロールは、セモリナを必要粒度に粉砕するリダクション工程で用いられるスムースロールであることを特徴とする請求項１〜４の何れか一項に記載のロール式粉砕機による粉砕物の製造方法。
【請求項６】
前記一対のロールは、前記リダクション工程で用いられる複数のスムースロールのうち、上段側に設置されている前記スムースロールであることを特徴とする請求項５に記載のロール式粉砕機による粉砕物の製造方法。
【請求項７】
回転する一対のロールの間隙に原料粉粒体を通し、前記原料粉粒体を粉砕し粉砕物を得る粉砕装置と、
前記粉砕装置で粉砕された前記粉砕物をサンプリングするサンプリング機構と、
前記サンプリング機構においてサンプリングされたサンプルの粒度分布を測定する測定装置と、
前記測定装置において測定された前記サンプルの粒度分布に基づいて算出される前記サンプルの特性値が予め定められた範囲内になるように前記一対のロールの間隙を調整する調整機構と、
を備えることを特徴とするロール式粉砕機。
【請求項８】
前記サンプリング機構は、前記一対のロールの粉砕領域の一方側の予め定められた範囲の前記粉砕物のサンプリングを行う第１サンプリング機構、及び前記一対のロールの粉砕領域の他方側の予め定められた範囲の前記粉砕物のサンプリングを行う第２サンプリング機構を備え、
前記測定装置は、前記第１サンプリング機構でサンプリングされた第１サンプルの粒度分布である第１の粒度分布の測定を行う第１測定装置、及び前記第２サンプリング機構でサンプリングされた第２サンプルの粒度である第２の粒度分布の測定を行う第２測定装置を備え、
前記調整機構は、前記第１の粒度分布に基づいて算出される前記第１サンプルの特性値が予め定められた範囲内になるように前記一対のロールの一方側の間隙を調整する第１調整機構、及び前記第２の粒度に基づいて算出される前記第２サンプルの特性値が予め定められた範囲内になるように前記一対のロールの他方側の間隙を調整する第２調整機構を備えることを特徴とする請求項７記載のロール式粉砕機。
【請求項９】
前記第１測定装置及び前記第２測定装置は、１つの装置であることを特徴とする請求項８記載のロール式粉砕機。
【請求項１０】
前記第１調整機構は、前記第１サンプルの特性値が特性値の目標値よりも大きいときは、前記一対のロールの一方側の間隙を特性値が小さくなるように調整し、前記第１サンプルの特性値が特性値の目標値よりも小さいときは、前記一対のロールの一方側の間隙を特性値が大きくなるように調整し、
前記第２調整機構は、前記第２サンプルの特性値が特性値の目標値よりも大きいときは、前記一対のロールの他方側の間隙を特性値が小さくなるように調整し、前記第２サンプルの特性値が特性値の目標値よりも小さいときは、前記一対のロールの他方側の間隙を特性値が大きくなるように調整することを特徴とする請求項８または９記載のロール式粉砕機。
【請求項１１】
前記調整機構において、前記一対のロールの間隙の調整限界の下限または上限に調整した場合でも前記サンプルの特性値が前記予め定められた範囲内にならない場合に警報を発する警報部を備えることを特徴とする請求項７記載のロール式粉砕機。
【請求項１２】
前記一対のロールは、前記セモリナを必要粒度に粉砕するリダクション工程で用いられるスムースロールであることを特徴とする請求項７〜１１の何れか一項に記載のロール式粉砕機。
【請求項１３】
前記一対のロールは、前記リダクション工程で用いられる複数のスムースロールのうち、上段側に設置されている前記スムースロールであることを特徴とする請求項１２記載のロール式粉砕機。
【発明の詳細な説明】
【技術分野】
【０００１】
本発明は、回転する一対のロールの間隙を通すことで原料粉粒体を粉砕して粉砕物を得るロール式粉砕機による粉砕物の製造方法及びロール式粉砕機に関するものである。
【背景技術】
【０００２】
小麦を製粉して小麦粉を作る製粉工程における小麦を挽く工程である挽砕工程においては、まず、精選した小麦のブレーキングが行われる。ブレーキングには、目立てロールであるブレーキロールを備えたロール式粉砕機が使用され、ブレーキングにより種々の粒度の小麦の破砕片（セモリナ）を得る。次にブレーキングにより得たセモリナをシフターにより篩分し、皮部から分離するグレーディングを行う。なお皮部には、かなりの胚乳部が付着しているので、これは次の段階のブレーキロールを備えたロール式粉砕機で再度破砕される。次にグレーディングにより取り除けなかった皮部をセモリナから取り除くピューリフィケーションを行う。
【０００３】
次にピューリフィケーションにより純化された、選別、篩分けされたセモリナを細かく砕いて必要な粒度の小麦粉にするリダクションを行う。リダクションには、目の立っていない滑面ロールであるスムースロールを備えたロール式粉砕機を使用する。次にリダクションにおいて必要な粒度に粉化された小麦粉から残っている皮部を篩分けする。なお、小麦の粉砕を行うロール式粉砕機は、特許文献１などに開示されている。
【先行技術文献】
【特許文献】
【０００４】
【特許文献１】特表２００２−５０００８４号公報
【発明の概要】
【発明が解決しようとする課題】
【０００５】
ところでリダクションにおいては、セモリナの品質を劣化させないように段階を経てセモリナを粉砕していく必要がある。従ってスムースロールを備えたロール式粉砕機を複数段用いており、それぞれのスムースロールを備えたロール式粉砕機により得られる最適なセモリナの品質が規定されている。
【０００６】
従来は作業員がスムースロールを備えたロール式粉砕機により粉砕されたセモリナの回収を行い、ロール温度等のロール式粉砕機の運転状況を見ながら手動によりロール式粉砕機のスムースロールの間隙を調整していた。
【０００７】
しかしながら、作業員が粉砕されたセモリナの粒度に関する特性値を求め、この粒度に関する特性値に基づいて手動によりロール式粉砕機のロール間隙を調整する場合には、作業員の作業負荷が大きくなり、ロール間隙の調整を頻繁に行うことは困難であった。また、作業員ごとにロール間隙の調整精度にばらつきが生じるという問題があった。
【０００８】
本発明の目的は、選別、篩分けされたセモリナを常時予め規定された粒度に粉砕するロール式粉砕機による粉砕物の製造方法及びロール式粉砕機を提供することである。
【課題を解決するための手段】
【０００９】
本発明のロール式粉砕機による粉砕物の製造方法は、回転する一対のロールの間隙に原料粉粒体を通し、前記原料粉粒体を粉砕し粉砕物を得る粉砕工程と、前記粉砕物をサンプリングするサンプリング工程と、前記サンプリング工程においてサンプリングされたサンプルの粒度分布を測定する測定工程と、前記測定工程において測定された前記サンプルの粒度分布に基づいて算出される前記サンプルの特性値が予め定められた範囲内になるように前記一対のロールの間隙を調整する調整工程、を有することを特徴とする。
【００１０】
また本発明のロール式粉砕機による粉砕物の製造方法は、前記サンプリング工程においては、前記一対のロールの粉砕領域の一方側の予め定められた範囲の前記粉砕物のサンプリングである第１サンプリング、及び前記一対のロールの粉砕領域の他方側の予め定められた範囲の前記粉砕物のサンプリングである第２サンプリングを行い、前記測定工程においては、前記第１サンプリングでサンプリングされた第１サンプルの粒度分布である第１の粒度分布、及び前記第２サンプリングでサンプリングされた第２サンプルの粒度分布である第２の粒度分布の測定を行い、前記調整工程においては、前記第１の粒度分布に基づいて算出される前記第１サンプルの特性値が予め定められた範囲内になるように前記一対のロールの一方側の間隙を調整し、前記第２の粒度分布に基づいて算出される前記第２サンプルの特性値が予め定められた範囲内になるように前記一対のロールの他方側の間隙を調整することを特徴とする。
【００１１】
また本発明のロール式粉砕機による粉砕物の製造方法は、前記調整工程においては、前記第１サンプルの特性値が特性値の目標値よりも大きいときは、前記一対のロールの一方側の間隙を特性値が小さくなるように調整し、前記第１サンプルの特性値が特性値の目標値よりも小さいときは、前記一対のロールの一方側の間隙を特性値が大きくなるように調整し、前記第２サンプルの特性値が特性値の目標値よりも大きいときは、前記一対のローの他方側の間隙を特性値が小さくなるように調整し、前記第２サンプルの特性値が特性値の目標値よりも小さいときは、前記一対のロールの他方側の間隙を特性値が大きくなるように調整することを特徴とする。
【００１２】
また本発明のロール式粉砕機による粉砕物の製造方法は、前記調整工程において、前記一対のロールの間隙の調整限界の下限または上限に調整した場合でも前記サンプルの特性値が前記予め定められた範囲内にならない場合に警報を発することを特徴とする。
【００１３】
また本発明のロール式粉砕機による粉砕物の製造方法は、前記一対のロールがセモリナを必要粒度に粉砕するリダクション工程で用いられるスムースロールであることを特徴とする。
【００１４】
また本発明のロール式粉砕機による粉砕物の製造方法は、前記一対のロールが前記リダクション工程で用いられる複数のスムースロールのうち、上段側に設置されている前記スムースロールであることを特徴とする。
【００１５】
本発明のロール式粉砕機は、回転する一対のロールの間隙に原料粉粒体を通し、前記原料粉粒体を粉砕し粉砕物を得る粉砕装置と、前記粉砕装置で粉砕された前記粉砕物をサンプリングするサンプリング機構と、前記サンプリング機構においてサンプリングされたサンプルの粒度分布を測定する測定装置と、前記測定装置において測定された前記サンプルの粒度分布に基づいて算出される前記サンプルの特性値が予め定められた範囲内になるように前記一対のロールの間隙を調整する調整機構と、を備えることを特徴とする。
【００１６】
また本発明のロール式粉砕機は、前記サンプリング機構が前記一対のロールの粉砕領域の一方側の予め定められた範囲の前記粉砕物のサンプリングを行う第１サンプリング機構、及び前記一対のロールの粉砕領域の他方側の予め定められた範囲の前記粉砕物のサンプリングを行う第２サンプリング機構を備え、前記測定装置が前記第１サンプリング機構でサンプリングされた第１サンプルの粒度分布である第１の粒度分布の測定を行う第１測定装置、及び前記第２サンプリング機構でサンプリングされた第２サンプルの粒度である第２の粒度分布の測定を行う第２測定装置を備え、前記調整機構が前記第１の粒度分布に基づいて算出される前記第１サンプルの特性値が予め定められた範囲内になるように前記一対のロールの一方側の間隙を調整する第１調整機構、及び前記第２の粒度に基づいて算出される前記第２サンプルの特性値が予め定められた範囲内になるように前記一対のロールの他方側の間隙を調整する第２調整機構を備えることを特徴とする。
【００１７】
また本発明のロール式粉砕機は、前記第１測定装置及び前記第２測定装置が１つの装置であることを特徴とする。
【００１８】
また本発明のロール式粉砕機は、前記第１調整機構は、前記第１サンプルの特性値が特性値の目標値よりも大きいときは、前記一対のロールの一方側の間隙を特性値が小さくなるように調整し、前記第１サンプルの特性値が特性値の目標値よりも小さいときは、前記一対のロールの一方側の間隙を特性値が大きくなるように調整し、前記第２調整機構は、前記第２サンプルの特性値が特性値の目標値よりも大きいときは、前記一対のロールの他方側の間隙を特性値が小さくなるように調整し、前記第２サンプルの特性値が特性値の目標値よりも小さいときは、前記一対のロールの他方側の間隙を特性値が大きくなるように調整することを特徴とする。
【００１９】
また本発明のロール式粉砕機は、前記調整機構において、前記一対のロールの間隙の調整限界の下限または上限に調整した場合でも前記サンプルの特性値が前記予め定められた範囲内にならない場合に警報を発する警報部を備えることを特徴とする。
【００２０】
また本発明のロール式粉砕機は、前記一対のロールは、前記セモリナを必要粒度に粉砕するリダクション工程で用いられるスムースロールであることを特徴とする。
【００２１】
また本発明のロール式粉砕機は、前記一対のロールは、前記リダクション工程で用いられる複数のスムースロールのうち、上段側に設置されている前記スムースロールであることを特徴とする。
【発明の効果】
【００２２】
本発明によれば、選別、篩分けされたセモリナを常時予め規定された粒度に粉砕するロール式粉砕機による粉砕物の製造方法及びロール式粉砕機を提供することができる。
【図面の簡単な説明】
【００２３】
【図１】実施の形態に係る小麦製粉における挽砕工程を示す図である。
【図２】(ａ)は実施の形態に係る挽砕工程で使用するスムースロールを備えたロール式粉砕機の構成を示す上面から見た模式図、（ｂ）は側面から見た模式図である。
【図３】実施の形態に係るスムースロールを備えたロール式粉砕機のシステム構成を示す図である。
【図４】実施の形態に係るスムースロールを備えたロール式粉砕機で粉砕されたセモリナの粒度分布制御を示すフローチャートである。
【発明を実施するための形態】
【００２４】
以下、図面を参照して、実施の形態に係る小麦の製粉における挽砕工程について説明する。図１は実施の形態に係る小麦製粉における挽砕工程を示す図である。図１に示すようまずブレーキング工程において精選した小麦のブレーキングが行われる。即ち精選した小麦を目立てロールであるブレーキロールを備えたロール式粉砕機（１Ｂロール）により破砕し、種々の粒度の小麦の破砕片（セモリナ）を得る。次にグレーディング工程において、１Ｂロールによるブレーキングにより得たセモリナをシフターにより篩分し、皮部から分離する。なお皮部には、かなりの胚乳部が付着しているので、皮部はブレーキング工程に戻され、次の段階のブレーキロールを備えたロール式粉砕機（２Ｂロール）で再度破砕される。
【００２５】
同様にブレーキング工程において、２Ｂロールによるブレーキングにより得たセモリナは、グレーディング工程においてシフターにより篩分され、皮部から分離される。分離された皮部はブレーキング工程に戻され、次の段階のブレーキロールを備えたロール式粉砕機（３Ｂロール）で再度破砕される。またブレーキング工程において、３Ｂロールによるブレーキングにより得たセモリナは、グレーディング工程においてシフターにより篩分され、皮部から分離される。分離された皮部はブレーキング工程に戻され、次の段階のブレーキロールを備えたロール式粉砕機（４Ｂロール）で再度破砕される。またブレーキング工程において、４Ｂロールによるブレーキングにより得たセモリナは、グレーディング工程においてシフターにより篩分され、皮部から分離される。このグレーディングにより篩分けされた皮部は、大ふすま、または小ふすまとして取り出される。
【００２６】
グレーディング工程においては、ブレーキング工程において皮部から分離されセモリナがシフターにより粒度別に分けられる。
【００２７】
次にピューリフィケーション工程において、グレーディング工程において粒度別に分けられたセモリナのそれぞれについて、グレーディングにより取り除けなかった皮部を取り除く。取り除かれた皮部は、小ふすまとして取り出される。
【００２８】
次にリダクション工程において、ピューリフィケーション工程において純化され、選別、篩分けされたセモリナを細かく砕いて必要な粒度の小麦粉にする。リダクション工程においては、複数段のロール式粉砕機１０，１１，１２，１３，１４，１５，１６を使用し、段階を経て順次セモリナを細かく砕いて必要な粒度の小麦粉にする。なおロール式粉砕機１０，１１，１２，１３，１４，１５，１６は、目の立っていない滑面ロールであるスムースロールを備えたロール式粉砕機であり、ロール式粉砕機１０，１１，１２，１３，１４，１５，１６により順次セモリナを細かく砕いて必要な粒度の小麦粉にするために、各ロール式粉砕機１０，１１，１２，１３，１４，１５，１６毎に、粉砕した小麦粉の粒度分布の目標値である目標粒度分布が規定されている。
【００２９】
リダクション工程において、各ロール式粉砕機１０，１１，１２，１３，１４，１５，１６により必要な粒度に粉化された小麦粉は、篩分けされ皮部を小ふすまとして取り除く。また篩分けされた小麦粉は、粒度に応じて下流側に配置されている各ロール式粉砕機により再度粉砕される。
【００３０】
図２（ａ）、（ｂ）は、実施の形態に係るスムースロールを備えたロール式粉砕機１０の構成を示す図である。ロール式粉砕機１０は一対のスムースロール１０ａ，１０ｂを有し、回転する一対のスムースロール１０ａ，１０ｂの間隙に原料粉粒体であるセモリナを通し、セモリナを粉砕し粉砕物である小麦粉を得るロール式粉砕機である。
【００３１】
ロール式粉砕機１０は、一対のスムースロール１０ａ，１０ｂの粉砕領域の一方側の予め定められた範囲の小麦粉（第１サンプル）のサンプリングを行う第１サンプリング機構２０ａ、及び一対のスムースロール１０ａ，１０ｂの粉砕領域の他方側の予め定められた範囲の小麦粉（第２サンプル）のサンプリングを行う第２サンプリング機構２０ｂを備えている。また第１サンプリング機構２０ａでサンプリングされた第１サンプルの粒度分布である第１の粒度分布の測定を行う第１粒度分布測定装置２１ａ、及び第２サンプリング機構２０ｂでサンプリングされた第２サンプルの粒度分布である第２の粒度分布の測定を行う第２粒度分布測定装置２１ｂを備えている。
【００３２】
更に第１粒度分布測定装置２１ａにより測定された第１の粒度分布に基づいて算出される第１サンプルの特性値が予め定められた範囲内になるように、一対のスムースロール１０ａ，１０ｂの一方側の間隙を調整する第１間隙調整機構２２ａ、及び第２粒度分布測定装置２１ｂにより測定された第２の粒度分布に基づいて算出される第２サンプルの特性値が予め定められた範囲内になるように、一対のスムースロール１０ａ，１０ｂの他方側の間隙を調整する第２間隙調整機構２２ｂを備えている。
【００３３】
ここで特性値は、（１）光回折法における、体積による中位径、（２）光回折法における、粒径による中位径、（３）予め定めた篩目で篩った際の篩下の重量、（４）予め定めた篩目で篩った際の篩下の体積、（５）予め定めた目開きの異なる複数の篩で篩った場合の最頻の粒径、（６）各粒径領域ごとに分離し、密度を測定し、最も密度が高い領域の粒子径、（７）各粒径領域ごとに分離し、密度を測定し、最も密度が低い領域の粒子径、（８）各粒径領域ごとに分離し、表面積を測定し、最も単位重量当たりの表面積が大きい粒子径、（９）各粒径領域ごとに分離し、表面積を測定し、最も単位重量当たりの表面積が小さい粒子径、などである。
【００３４】
図３は、実施の形態に係るロール式粉砕機１０のシステム構成の一部を示す図である。ロール式粉砕機１０は、装置の全体を統括的に制御する制御部３０を備えている。制御部３０には、ロール式粉砕機１０により粉砕された粉砕物である小麦粉の特性値の目標値である目標特性値を入力する入力部３２、入力部３２により入力された目標特性値を記憶する記憶部３４が接続されている。また、制御部３０には、一対のスムースロール１０ａ，１０ｂの間隙を調整限界の上限又は下限まで調整した場合においても、粉砕物である小麦粉の特性値が目標特性値にならない場合に警報を発する警報部３３、入力部３２により入力された目標特性値の値や、警報部による警報の表示を行う表示部３１が接続されている。
【００３５】
更に、第１サンプリング機構２０ａ、第２サンプリング機構２０ｂ、第１粒度分布測定装置２１ａ、第２粒度分布測定装置２１ｂ、第１間隙調整機構２２ａ、第２間隙調整機構２２ｂが接続されている。ここでロール式粉砕機１０の第１サンプリング機構２０ａ、第２サンプリング機構２０ｂ、第１粒度分布測定装置２１ａ、第２粒度分布測定装置２１ｂ、第１間隙調整機構２２ａ、第２間隙調整機構２２ｂ、制御部３０、表示部３１、入力部３２、警報部３３、記憶部３４がスムースロール１０ａ，１０ｂの間隙を調整する間隙調整部を構成している。
【００３６】
図４は、実施の形態に係るロール式粉砕機を用いてセモリナを必要粒度に粉砕するロール式粉砕機による粉砕物の製造方法を示すフローチャートである。ロール式粉砕機１０によりセモリナの粉砕を行う場合には、第１サンプリング機構２０ａにより一対のスムースロール１０ａ，１０ｂの粉砕領域の一方側の予め定められた範囲の粉砕物である小麦粉のサンプリング（第１のサンプリング）を行う（ステップＳ１１）。次に第１粒度分布測定装置２１ａにより第１サンプリング機構２０ａでサンプリングされた第１サンプルの粒度分布（第１の粒度分布）の測定を行い（ステップＳ１２）、第１の粒度分布を制御部３０に送信する。
【００３７】
また第２サンプリング機構２０ｂにより一対のスムースロール１０ａ，１０ｂの粉砕領域の他方側の予め定められた範囲の粉砕物である小麦粉のサンプリング（第２のサンプリング）を行う（ステップＳ１３）。
【００３８】
次に第２粒度分布測定装置２１ｂにより第２サンプリング機構２０ｂでサンプリングされた第２サンプルの粒度粒度分布（第２の粒度分布）の測定を行い、第２の粒度分布を制御部３０に送信する（ステップＳ１４）。
【００３９】
次に制御部３０は、第１粒度分布測定装置２１ａにより測定された第１の粒度分布に基づいて算出される第１サンプルの特性値が記憶部３４に記憶されている目標特性値になるように、一対のスムースロール１０ａ，１０ｂの一方側の間隙を調整する第１調整値を算出する（ステップＳ１５）。また制御部３０は、第２粒度分布測定装置２１ｂにより測定された第２の粒度分布に基づいて算出される第２サンプルの特性値が記憶部３４に記憶されている目標特性値になるように、一対のスムースロール１０ａ，１０ｂの他方側の間隙を調整する第２調整値を算出する（ステップＳ１６）。
【００４０】
次に制御部３０は、第１調整値、第２調整値が一対のスムースロール１０ａ，１０ｂの間隙の調整限界の上限又は下限内であるか否かを判別し（ステップＳ１７）、上限又は下限を超えている場合には、警報部３３により警報を発する（ステップＳ２０）。即ち一対のスムースロール１０ａ，１０ｂの間隙の調整限界の下限または上限に調整した場合でも第１サンプルの特性値又は第２サンプルの特性値が目標特性値にならない場合に警報を発する。
【００４１】
第１調整値、第２調整値が一対のスムースロール１０ａ，１０ｂの間隙の調整限界の上限又は下限内である場合には、第１調整値を第１間隙調整機構２２ａに送信し、第１間隙調整機構２２ａにより第１調整値に基づいて一対のスムースロール１０ａ，１０ｂの一方側の間隙を調整する（ステップＳ１８）。
【００４２】
ここで第１間隙調整機構２２ａは、第１サンプルの特性値が特性値の目標値よりも大きいときは、一対のスムースロール１０ａ，１０ｂの一方側の間隙を特性値が小さくなるように調整し、第１サンプルの特性値が特性値の目標値よりも小さいときは、一対のスムースロール１０ａ，１０ｂの一方側の間隙を特性値が大きくなるように調整する。
【００４３】
また第２調整値を第２間隙調整機構２２ｂに送信し、第２間隙調整機構２２ｂにより第２調整値に基づいて一対のスムースロール１０ａ，１０ｂの他方側の間隙を調整する（ステップＳ１９）。
【００４４】
ここで第２間隙調整機構２２ｂは、第２サンプルの特性値が特性値の目標値よりも大きいときは、一対のスムースロール１０ａ，１０ｂの他方側の間隙を特性値が小さくなるように調整し、第２サンプルの特性値が特性値の目標値よりも小さいときは、一対のスムースロール１０ａ，１０ｂの他方側の間隙を特性値が大きくなるように調整する。そしてステップＳ１１に戻り、ステップＳ１１〜Ｓ２０の処理を繰り返す。
【００４５】
なおロール式粉砕機１１，１２，１３，１４，１５，１６の構成は、ロール式粉砕機１０の構成と同様に間隙調整部を備えたものであっても、間隙調整部を備えていないものであってもよいが、ロール式粉砕機１１，１２，１３，１４，１５，１６の中で上段側に設置されているロール式粉砕機は、間隙調整部を備えていることが好ましい。
【００４６】
この実施の形態に係るロール式粉砕機による粉砕物の製造方法及びロール式粉砕機によれば、作業員の負担を増大させることなく一定時間間隔で繰り返しロール式粉砕機のロール間隙の調整を行うことができることから、製造される小麦粉を高品質なものとすることができる。また作業員ごとにロール間隙の調整精度にばらつきが生じるという問題も解消することができる。
【００４７】
なお上述の実施の形態においては、第１粒度分布測定装置２１ａと、第２粒度分布測定装置２１ｂを備えているが、１つの粒度分布測定装置により、第１サンプリング機構２０ａでサンプリングされた第１サンプルの粒度粒度分布（第１の粒度分布）の測定を行い、更に第２サンプリング機構２０ｂでサンプリングされた第２サンプルの粒度粒度分布（第２の粒度分布）の測定を行うようにしてもよい。
【符号の説明】
【００４８】
１０，１１，１２，１３，１４，１５，１６…ロール式粉砕機、１０ａ，１０ｂ…スムースロール、２０ａ…第１サンプリング機構、２０ｂ…第２サンプリング機構、２１ａ…第１粒度分布測定装置、２１ｂ…第２粒度分布測定装置、２２ａ…第１間隙調整機構、２２ｂ…第２間隙調整機構、３０…制御部、３１…表示部、３２…入力部、３３…警報部、３４…記憶部
【図１】
2019058866.tif 000003
【図２】
2019058866.tif 000004
【図３】
2019058866.tif 000005
【図４】
2019058866.tif 000006